(57)【要約】  カバー（３）に接続されるカメラ本体、カバー（３）の空洞（３２ａ）に配置される少なくとも１つの光学ユニット（３３）、及び、カバー（３）をベース支持部（２）に接続するために用いられ、前記カバー（３）が軸（Ｙ−Ｙ）の周りでベース支持部（２）に関して回転するような接続手段（４、５）を含むアクションカメラ。カバーは、キャップが基本的に平坦な上部表面（３４）及び湾曲した側部表面（３５）を含むように５０°-６０°で平行に切断される楕円体の一部として成形されるキャップを含む。【選択図】図３
2017529556.tif 000002
【特許請求の範囲】
【請求項１】
アクションカメラ（１）であって、
- 動かすことを目的とする、体に固定することに適したベース支持部（２）； 
- 着脱自在にベース支持部に接続されるカバー（３）であって、該カバー（３）がベースディスク（３１）及び該ベースディスク（３１）に固定された少なくとも部分的に透明なキャップ（３２）を含み、該ベースディスク（３１）及び該キャップ（３２）により定められた空洞（３２ａ）を定めるように該ベースディスク（３１）に固定されるカバー（３）；
- 光軸（Ａ）を備えている少なくとも１つの光学ユニット（３３）を含む少なくとも１つのカメラ本体であって、該少なくとも１つの光学ユニット（３３）が前記カバー（３）の前記空洞（３２ａ）の内部に配置され、該カバーの前記ベースディスク（３１）に載置された少なくとも１つのカメラ本体；
及び、- 前記カバー（３）が該カバー（３）の前記ベースディスク（３１）に対して直角である軸（Ｙ-Ｙ）の周りで前記ベース支持部（２） に関して回転するように該カバー（３）を該ベース支持部（２）に接続する接続手段（４）；を含むアクションカメラ（１）において、
前記アクションカメラ（１）はまた前記カバー（３）の前記空洞（３２ａ）に配置され、前記少なくとも１つの光学ユニット（３３）を動かすために該カバー（３）の前記ベースディスク（３１）載置された作動手段（Ｍ）を含み、
前記キャップ（３２）が、約５０°-６０°において平行で切断される楕円体の一部として成形され、該キャップは、鋭い角を避けるように、及び、前記少なくとも一つの光学ユニット（３３）のいかなる位置でも該少なくとも１つの光学ユニット（３３）の光軸（Ａ）は、光軸（Ａ）が該キャップ（３２）を切断する位置を通過する該キャップ（３２）の接線に対して常に直角であるように、基本的に平坦な上部表面（３４）、及び回転の長円面の一部のように湾曲する側部表面（３５）を含むことにおいて特徴付けられる、アクションカメラ（１）。
【請求項２】
前記カメラ本体が、前記カバーの前記ベースディスク（３１）に対して直角である同一平面に存在する光軸（Ａ）を有する２つの光学ユニット（３３）を含み；前記光学ユニット（３３）が、前記ベースディスク（３１）及びそれ自体が平行である回転軸（Ｘ１、Ｘ２）に関して回転可能に載置される、請求項１に記載のアクションカメラ。
【請求項３】
前記光学ユニット（３３）の各々は、前記２つの光学ユニット（３３）が次の３つの相互的な位置：-前記アクションカメラが２つの異なる方向（例えば移動方向に関して前後）のショットを撮ることができるように 前記２つの光学ユニット（３３）が分かれている光軸（Ａ）を有する第１の位置； 
-前記アクションカメラが前記ベースディスク（３１）に対して垂直の方向に従って３Ｄショットを撮ることができる前記２つの光学ユニット（３３）が該ベースディスク（３１）に対して垂直である平行の光軸（Ａ）を有する第２の位置；
-前記アクションカメラが前記第２の位置に関して立体的な効果を強調して３Ｄショットを撮ることができる前記２つの光学ユニット（３３）が入射点に入射する収束している光軸（Ａ）を有する第３の位置；において存在することができる作動手段（Ｍ）によって作動される、請求項２に記載のアクションカメラ。
【請求項４】
前記作動手段（Ｍ）がブラシ不要のモーター又はステッピングモーターを含むサーボモーターである、請求項３に記載のアクションカメラ。
【請求項５】
前記前記ベース支持部（２）が、-動かすことを目的とする前記本体への固定に適した静止支持要素（２１）；及び、-電池のような電子装置を一体化するために用いられ、前記静止支持要素（２１）に着脱自在に接続される可動支持要素（２２）；及び、-前記可動支持要素（２２）及び前記静止支持要素（２１）の結合／分離のために提供された結合／分離手段（２３、２４）を含む、先行する請求項のいずれか一項に記載のアクションカメラ。
【請求項６】
前記静止支持要素（２１）が、前記可動支持要素（２２）が該静止支持要素（２１）と同一平面上であるように該可動支持要素（２２）を収容する凹型の筐体（Ｓ）を含む、請求項５に記載のアクションカメラ。
【請求項７】
ｎ
前記前記結合／分離手段（２３、２４）が、前記可動支持要素（２２）によって接続される２つのピン（２３）及び、前記凹型の筐体（Ｓ）を定める壁（Ｐ１）の上に得られる２つの孔（２４）を含む、請求項６に記載のアクションカメラ。
【請求項８】
前記凹型の筐体（Ｓ）が横方向に鳩尾型の輪郭を備えていて、下壁（Ｐ２）、及び、該下壁（Ｐ２）に関して鋭角で傾けられる２つの縦の側壁（Ｐ３、Ｐ４）に接している、請求項６又は７に記載のアクションカメラ。
【請求項９】
前記接続手段（４）が前記カバー（３）及び前記ベース支持部（２）上に配置され、- 孔（４０））； - 前記１つの孔（４０）に挿入されるピン（５）；−前記接続手段（４）を係止する係止手段（Ｖ）を含む、先行する請求項のいずれか一項に記載のアクションカメラ。
【請求項１０】
前記ピン（５）が、前記カバー（３）の前記ベースディスク（３１）に得られる前記孔（４０）に係合するために前記可動支持要素（２２）から突出し、シャンク（４１）を備えた該カバーの該ベースディスクの該孔（４０）が該カバーの該ベースディスクの中心と一致するネジ孔（Ｆ）を有し、該可動支持要素（２２）の該ピン（５）は内部が空であって、貫通孔（５０）を備え、前記係止手段は、該可動支持要素の該ピンの該孔（５０）に挿入されて、該カバーの該ベースディスク（３１）の該孔（４０）に配置された該シャンク（４１）の該ネジ孔（Ｆ）に回してはめ込まれるネジ（Ｖ）を含む、請求項５による請求項９に記載のアクションカメラ。
【請求項１１】
前記ベース支持部（２）に関して前記カバー（３）の自由回転を防ぐ回転防止手段（６、７）を含む、先行する請求項のいずれか一項に記載のアクションカメラ。
【請求項１２】
前記回転防止手段（６、７）が前記カバー（３）及び前記ベース支持部（２）上に配置され、前記孔（７）において係合される少なくとも１つの孔（７）及び少なくとも１つのボタン（６）を含む、請求項１１に記載のアクションカメラ。
【請求項１３】
前記ボタン（６）が前記ベース支持部（２）で接続され、前記孔（７）は前記カバー（３）上に得られる、請求項１２に記載のアクションカメラ。
【請求項１４】
前記カバーの前記ベース支持部（２）及び前記ベースディスク（３１）の間で積み重なる複数のモジュール（８、８´）を含み、該モジュールの各々は、予備の電池、障害物検出センサ、環境データ検出センサ、ＧＰＳシステム、無線コミュニケーションシステム等のような１つ以上の電子装置を含む、先行する請求項のいずれか一項に記載のアクションカメラ。
【請求項１５】
前記モジュール（８、８´）の各々が、- 前記モジュール（８、８´）から、上側の位置に突出する上側のディスク状の突起（８８）； - 前記モジュール（８、８´）の下面で得られる下側のディスク状の筐体（８７）；- 前記上側のディスク状の突起（８８）において配置される上側の電気的接点（８５）；及び、−前記下側のディスク状の突起（８７）に配置される下側の電気的接点（８６）を含む、請求項１４に記載のアクションカメラ。
【発明の詳細な説明】
【技術分野】
【０００１】
本発明の特許出願は、改良型アクションカメラに関する。
【背景技術】
【０００２】
アクションカメラは周知のものであり、一般にスキー、ウィンドサーフィン、スノーボード、マウンテンバイク、クロスカントリーバイク等のスポーツの練習で用いられるものである。これらのアクションカメラは、ユーザが手でカメラを保持する必要なくフィルムに記録することができるように、例えば自転車又はオートバイのハンドル、スキーブーツ、スノーボードのヘルメット等の動く本体に固定される。
【０００３】
詳細には、類似したアクションカメラは：- カメラ本体；- 前記カメラ本体のカバー；- 前記カバーを支持し、動く本体に固定することを目的とするベース支持部、を含む。
【０００４】
カメラ本体は少なくとも１つの光学ユニット、及び光学ユニットに対応して透明な部分を含むカバーを含み、光学ユニットはカバーの透明な部分によって保護される一方でショットを撮ることができるように配置される。
【０００５】
大部分の場合、カメラ本体を保護するために用いられるカバーは、カメラ本体を防水にするための密封機構を備えている。
【０００６】
一般的に言うと、カバーはプラスチック材でできていて、カバーが正確に隙間なくカメラ本体を受容することができる形状を内部に備えている。一般にカメラ本体は平行六面体の形状を有し、角によって接続される一連の小面を直角で備えている。カバーの壁は一定の厚みを有する。カバーは、偶発的な衝撃において危険な部分の存在をなくすように丸い角によって接続される一連の小面を直角で外側に備えている。
【０００７】
そのようなカバーの平行六面体の形状は、- ユーザの体とカバーの間に強い衝撃がある時に危険である多数のほぼ丸い角； - サーフボード、轟音等による衝撃の時にアクションカメラの完全性を損なう可能性があるので、固定された本体からのアクションカメラの分離を生じる、又は、最悪の場合、カバーあるいはそれに含まれるカメラ本体を壊してしまうようなカバーの空力及び流体力学的特性を損なう多数の平面を備えている、という事実によって損なわれる。
【０００８】
カバーの劣った空力及び流体力学特性により、カメラ本体の正確な配置が損なわれる可能性がある。実際、カメラ本体は調整及び係止手段によってベース支持部に固定される。調整及び係止手段は、アクションカメラが高速で流れる流体（空気又は水）によって応力を加えられる。必然的に、そのような流体の応力は調整及び係止手段を付勢する傾向があり、それにより故障する可能性がある。さらに、調整及び係止手段上の付随的な力は、調整及び係止手段の回転を生成する角度モーメントを誘発し、それがベース支持部に関するカメラ本体の正確な配置を失わせる傾向があるので、カメラ本体の正確な配置を損なうことになる。
【０００９】
これらのアクションカメラは、もしある場合に予備の電池、障害物検出センサ、環境データ検出センサ、ＧＰＳシステム、無線コミュニケーションシステム等の電子装置がカバーの外側に配置されていて、接続手段によってアクションカメラに接続されているということによる追加的な欠点によって損なわれる。それゆえに前記電子装置は、アクションカメラの容積を増加させ、ユーザに衝撃がある場合に危険であり、容易に摩耗にさらされてしまう。
【先行技術文献】
【特許文献】
【００１０】
【特許文献１】欧州特許出願公開２３５３９４０Ａ１号公報
【特許文献２】ドイツ実用新案登録２０２００６０１７６６５Ｕ１号公報
【発明の概要】
【００１１】
欧州特許出願公開２３５３９４０Ａ１号は、- 車両への固定に適しているベース支持部；- ベース支持部に固定される第１の静止筐体に連結する光学ユニット、及び、- ベース支持部に連結して回転可能なカバーを含む視覚システムを開示する。
【００１２】
カバーは、ベース支持部に接続されるディスク、円筒状の管、及び光学ユニットが配置される空洞を定める蓋を含む。
【００１３】
蓋は、危険である可能性がある鋭い角（軸方向断面において９０°の角度）を有する端を有する。
【００１４】
光学ユニットは、ベース支持部に連結される。それゆえに、視覚システムを載置した後、ユーザは光学ユニットの位置を調節することができない。
【００１５】
ドイツ実用新案登録２０２００６０１７６６５Ｕ１号は、非常に危険である鋭い角（軸方向断面において９０°の角度）を有する１つの光学ユニットのための筐体を含むアクションカメラを開示する。さらに、そのようなアクションカメラは１つの光学ユニットのみを含み、それゆえに３Ｄショットを撮ることができない。
【発明が解決しようとする課題】
【００１６】
本発明の目的は、ユーザにとって安全かつ信頼性が高い空力、流体力学的、及び耐振性のアクションカメラを開示することによって、従来技術の欠点を改良することである。
【００１７】
他の目的は、そのユーザビリティ及び人間工学と同様に信頼性及び空力特性を損なわずに、一体化している複数の機能に適した汎用的、実用的、機能的、及び可撓性のアクションカメラを提供することである。
【００１８】
本発明の他の目的は、異なる角度から及び／又は３Ｄモードで同時に撮影するその撮影モードを変えることができるアクションカメラを開示することである。
【課題を解決するための手段】
【００１９】
本発明のアクションカメラは：-動かすことを目的とする、体に固定することに適したベース支持部；- 着脱自在にベース支持部に接続されるカバーであって、前記カバーがベースディスク及びベースディスクに固定された少なくとも部分的に透明なキャップを含み、前記ベースディスク及び前記キャップに接して空洞を定めるようなカバー；- 光軸を備えている少なくとも１つの光学ユニットを含む少なくとも１つのカメラ本体であって、前記少なくとも１つの光学ユニットがカバーの前記空洞に配置され、カバーの前記ベースディスクに載置された少なくとも１つのカメラ本体；及び、- 前記カバーがカバーのベースディスクに対して直角である軸の周りで前記ベース支持部に関して回転するようにカバーをベース支持部に接続する接続手段、を含む。
【００２０】
アクションカメラはまた、カバーの前記空洞内部に配置され、前記少なくとも１つの光学ユニットを動かすためにカバーの前記ベースディスクに載置された作動手段を含む。
【００２１】
キャップは約５０°‐６０°の平行線で切断される楕円体の一部として成形され、そのキャップは、基本的に平坦な上部表面、及び鋭い角を避けるために回転の長円面の一部のように湾曲する側部表面を含み、前記少なくとも１つの光学ユニットのいかなる位置においても前記少なくとも１つの光学ユニットの光軸は、光軸がキャップを切断する位置を通過して常にキャップの接線に対して直角であるようにされるので、キャップの存在により生じる回折の危険性を最小化する。
【図面の簡単な説明】
【００２２】
明確にするため、本発明のアクションカメラの記載は、制限する意図を有さず説明する意図を有するのみである添付の図面を参照して、以下に続く。図面の説明は次の通りである：
【図１】図１は、本発明のアクションカメラの上面不等角投影図である；
【図２】図２は、本発明のアクションカメラの底面不等角投影図である；
【図３】図３は、カバーの光学ユニットを示すためにカバーのキャップが部分的に取り除かれた図１のアクションカメラのカバーの上面不等角投影図である；
【図４】図４は、本発明のアクションカメラの第２の実施態様の斜視分解図である；
【図５】図５は、各々のモジュールが図４と比較して異なる角度から示された図４のアクションカメラの２つのモジュールの斜視図である。
【発明を実施するための形態】
【００２３】
図１及び図２は、参照番号（１）によって一般に示される本発明のアクションカメラを示す。
【００２４】
アクションカメラ（１）は、ベース支持部（２）、及びベース支持部（２）に着脱自在に接続されるカバー（３）を含む。ベース支持部（２）は、以下に動く本体として定義される、例えばヘルメット、ハンドル、スキーブーツ等の動かすことを目的とする本体への固定に適している。
【００２５】
前記ベース支持部（２）は、-動く本体への固定を目的とする静止支持要素（２１）；及び、- 静止支持要素（２１）に着脱自在に接続される可動支持要素（２２）を含む。
【００２６】
静止支持要素（２１）は、ディスク状のプレートとして成形される。可動支持要素（２２）は、矩形のプレートとして成形される。
【００２７】
静止支持要素（２１）は、可動支持要素（２２）が静止支持要素（２１）と同一平面であるように可動支持要素（２２）を収容する凹型の筐体（Ｓ）を含む。
【００２８】
凹型の筐体（Ｓ）は横方向に鳩尾型の輪郭を備えていて、横断壁（Ｐ１）、下壁（Ｐ２）、及び、下壁（Ｐ２）に関して鋭角で傾けられる２つの縦の側壁（Ｐ３、Ｐ４）に接している。
【００２９】
結果的に、前記可動支持要素（２２）は、可動支持要素（２２）を凹型の筐体（Ｓ）に摺動させることによって静止支持要素（２１）の前記凹型の筐体（Ｓ）に挿入することができる。
【００３０】
凹型の筐体（Ｓ）の縦の側壁（Ｐ３、Ｐ４）は、下壁（Ｐ２）に関して直角又は鈍角で傾けることができ、そのような場合、可動支持要素（２２）が挿入されて上から下向きに凹型の筐体（Ｓ）に適合される。
【００３１】
アクションカメラ（１）のベース支持部（２）は、可動支持要素（２２）及び静止支持要素（２１）の結合／分離を提供する結合／分離手段（２３、２４）を含む。結合／分離手段（２３、２４）は、可動支持要素（２２）によって接続される２つのピン（２３）、及び凹型の筐体（Ｓ）の横断壁（Ｐ１）に得られる２つの孔（２４）を都合よく含む。このようにして可動支持要素のピン（２３）は、静止支持要素の凹型の筐体（Ｓ）の孔（２４）において係合される。
【００３２】
添付の図面を参照すると、アクションカメラ（１）のカバー（３）は、- ベースディスク（３１）；及び、- 少なくとも部分的に透明な材料でできていて、ベースディスク（３１）に固定されるキャップ（３２）であって、前記ベースディスク（３１）及び前記キャップ（３２）によって定義される空洞（３２ａ）を定めるようなキャップ（３２）を含む。
【００３３】
図３を参照すると、アクションカメラ（１）はまた、ベースディスク（３１）で支持されカバー（３）の空洞（３２ａ）に収容されるカメラ本体を含む。カメラ本体は、向きを定められるようにベース支持部に関して動く可能性を有して載置される２つの光学ユニット（３３）を含む。光学ユニット（３１）は、カバーのベースディスク（３１）に対して直角である同じ平面上に存在している光軸（Ａ）を有する。光学ユニット（３３）は、互いに平行であるのと同様にカバーのベースディスク（３１）に対して平行である回転軸（Ｘ１、Ｘ２）に関して回転可能に載置される。
【００３４】
キャップ（３２）は、光学ユニットの光軸（Ａ）が存在する平面の周りで中央ストリップのみが透明な材料でできている。
【００３５】
アクションカメラは、その配向を変えるためにカメラ本体の各々の光学ユニット（３３）を動かすことを目的とする作動手段（Ｍ）を含む。
【００３６】
前記作動手段（Ｍ）により、前記２つの光学ユニット（３３）は次の３つの異なる位置に存在することができる：- 前記２つの光学ユニット（３３）が分かれている光軸（Ａ）（図３参照）を有する第１の位置；この場合、アクションカメラは２つの異なる方向（例えば移動方向に関して前後）のショットを撮ることができる； - ２つの光学ユニット（３３）がベースディスク（３１）に対して垂直である平行の光軸（Ａ）を有する第２の位置；この場合、アクションカメラはベースディスク（３１）に対して垂直の方向に従って３Ｄショットを撮ることができる； - ２つの光学ユニット（３３）が入射点に入射する収束している光軸（Ａ）を有する第３の位置；この場合、アクションカメラは第２の位置に関して立体的な効果を強調して３Ｄショットを撮ることができる。
【００３７】
添付の図面は２つの光学ユニット（３３）のみを示しているが、本発明のアクションカメラは、複数の位置に配置されるように動く複数の光学ユニット（３３）を含むことができることに留意するべきである。
【００３８】
光学ユニット（３３）を動かすため、作動手段（Ｍ）は都合よく、例えばブラシ不要のモーター又はステッピングモーターのようなサーボモーターであってもよい。モーター（Ｍ）が各々の光学ユニット（３３）のために使われるということにより、光学ユニットは独立して動くことができ、様々な独立した位置で３Ｄショットを撮ることができる。
【００３９】
キャップ（３２）は、ほぼ５０-６０°において平行で切断される楕円体の一部として成形される。このようにして、キャップ（３２）は、基本的に平坦な上部表面（３４）、及び回転の長円面の一部のように湾曲する側部表面（３５）を含む。楕円体の一部の形状は、光学ユニット（３３）のいかなる位置でも、光学ユニットの光軸（Ａ）が、光学ユニット（３３）の光軸（Ａ）がキャップ（３２）を切断する位置を通過するキャップ（３２）の接線に対して常に直角であり、キャップの存在下で生じる回折の危険性を最小化するように研究されてきた。
【００４０】
さらに、楕円体の一部として成形されることでキャップ（３２）は鋭い角を有しないので、アクションカメラと異物の間で一般に起こりうる衝撃によって生じる損害を減らすのと同様に、アクションカメラ（１）の空力及び流体力学的特性を最適化することができる。
【００４１】
このようにして、力は、キャップの回転、及び、アクションカメラ（１）が固定される本体からアクションカメラの分離を生じる可能性のある角運動量を生成せずに、キャップ（３２）の表面上で摺動する傾向がある。
【００４２】
本発明のアクションカメラ（１）はまた、電池（添付の図において図示せず）を含む。電池は、カメラ本体に電力を供給する。電池は、ベース支持部（２）の可動支持要素（２２）において好ましくは一体化される。
【００４３】
可動支持要素（２２）の２つのピン（２３）、及び静止支持要素（２１）の対応している孔（２４）は、可動支持要素（２２）及び静止支持要素（２１）間の結合／分離手段として作用するだけではなく、アクションカメラの電池及びカメラ本体間で電気を伝達する導体としても作用する。
【００４４】
アクションカメラ（１）は、ベース支持部（２）において得られる追加の電池のための追加の筐体を都合よく含むことができる。
【００４５】
図１及び２を参照すると、アクションカメラ（１）はまた、ベースディスク（３１）に対して直角の軸（Ｙ-Ｙ）の周りでベース支持部（２）に関してカバー（３）が回転するようにベース支持部（２）にカバー（３）を接続する雄−雌タイプの接続手段（４）を含む。
【００４６】
接続手段（４）は、カバー（３）のベースディスク（３１）で得られる孔（４０）において係合されるために可動支持要素（２２）から突出するピン（５）を含む。
【００４７】
可動支持要素のピン（５）は、内部が空洞であり、貫通孔（５０）を備えている。カバーのベースディスク（３１）の孔（４０）内部にはシャンク（４１）が提供される。シャンク（４１）は、カバーのベースディスク（３１）の中心と一致するネジ孔（Ｆ）を有する。
【００４８】
雄−雌タイプの接続手段（４）が図１及び２に示されているが、前記接続手段は、代わりに差し込みピンタイプであってもよい。この場合、カバーのベースディスク（３１）は下側の筐体を備えている。ベース支持部（２）は、ベースディスク（３１）の下側の筐体に挿入されて、カバー（３）に関してベース支持部（２）の並進を係止するようにベースディスク（３１）の前記下側の筐体内部で回転する。
【００４９】
アクションカメラ（１）はまた、前記接続手段（４）を係止する係止手段（Ｖ）を含む。
【００５０】
前記係止手段（Ｖ）は、可動支持要素のピン（５）の孔（５０）に挿入され、カバーのベースディスク（３１）の孔（４０）に配置されたシャンク（４１）のネジ孔（Ｆ）に回してはめ込まれたネジ（Ｖ）を含む。
【００５１】
図１及び２を参照すると、アクションカメラ（１）はまた、ベース支持部（２）に関してカバー（３）の自由回転を防ぐためにカバー（３）及びベース支持部（２）に配置されている回転防止手段（６、７）を含む。
【００５２】
回転防止手段（６、７）は、カバー（３）のベースディスク（３１）上に都合よく得られる複数の孔（７）、及び、各々が静止支持要素（２）から突出し前記孔（７）のうちの１つに挿入される格納式の自由端を備えた複数のボタン（６）を含む。
【００５３】
カバー（３）は、アクションカメラ（１）を防水するような防水特性を有し、ベース支持部（２）と連結される。
【００５４】
図４及び５は、ベース支持部（２）及びカバー（３）のベースディスク（３１）の間で積み重ねられた複数のモジュール（８、８´）を含むアクションカメラ（１）の第２の実施態様を例示する。各々のモジュール（８、８´）は、例えば、予備の電池、障害物検出センサ、環境データ検出センサ、ＧＰＳセンサ、無線コミュニケーションシステム等の１つ以上の電子装置を含むことができる。
【００５５】
そのために、カバーのベースディスク（３１）は、カバーのベースディスク（３１）から低い位置で突出する下側の電気的接点（３６）を有する。
【００５６】
各々のモジュール（８、８´）は、上側の電気的接点（８５）及び下側の電気的接点（８６）を有する。このように、カバーのベースディスク（３１）の下側の電気的接点（３６）は、第１のモジュール（８）の上側の電気的接点（８５）と接触するようになる。第１のモジュール（８）の下側の電気的接点（８６）は、第２のモジュール（８だ´）の上側の電気的接点（８５）等と接触するようになる。
【００５７】
ベース支持部（２）は、最後のモジュールを覆う。
【００５８】
カバーのベースディスク（３１）は、カバーのベースディスク（３１）の下面で得られる下側のディスク状の筐体（３７）を有する。各々のモジュール（８、８´）は、モジュールから上側の位置に突出する上側のディスク状の突起（８８）、及び、モジュールの下側の面で得られる下側のディスク状の筐体（８７）を有する。
【００５９】
上記からみて、第１のモジュール（８）の上側のディスク状の突起（８８）は、カバーのベースディスク（３１）の下側のディスク状の筐体（３７）において係合される。第２のモジュール（８´）の上側のディスク状の突起（８８）は、第１のモジュール（８）の下側のディスク状の筐体（８７）等において係合される。
【００６０】
モジュール（８、８´）は、カバー（３）及び防水のベース支持部（２）と同様に一緒に連結される。
【００６１】
このようにして、鋭い角又は突出する要素のないコンパクトなアクションカメラが得られる。モジュール（８、８´）に挿入される電子装置は外部の衝撃から守られ、アクションカメラの空力及び流体力学的特性を損なわない。
【図１】
2017529556.tif 000003
【図２】
2017529556.tif 000004
【図３】
2017529556.tif 000005
【図４】
2017529556.tif 000006
【図５】
2017529556.tif 000007
【国際調査報告】
2017529556.tif 000008
2017529556.tif 000009
2017529556.tif 000010